(57)【特許請求の範囲】
【請求項１】
一対の隔置された棒部材を備え、かつ該棒部材と平行な軸のまわりに回転する回転体と、
前記回転体の前記軸に連結される回転操作ハンドルと、
前記棒部材の上方に設けられるトイレットペーパのロール紙を挿抜可能に軸支するスピンドル装置とを有し、
前記スピンドル装置の軸部は、該スピンドル装置を貫通してのび、その先端部が径方向に弾性変形可能な先細テーパ状を成し、かつ前記ロール紙の芯管の内径より小外径となっており、かつこの先端部に続いて周部に複数本の軸方向にのびる極細の突条が形成されたロール紙嵌合部を備え、これによって前記軸部が前記ロール紙の芯に食い込んで該軸部に対する前記ロール紙の相対回転を阻止するようになっており、
さらに、前記ピンドル装置の前記軸部の回転を固定する固定装置と、  
前記回転体の回転数を計数する回転数検出手段と、
前記回転体の回転数が所定値になったときに前記固定装置に固定指令信号を出力する計数処理装置と、
前記固定装置の固定動作を解除し、かつ前記回転数検出手段をリセットするリセット手段とを有し、
前記固定装置は、前記スピンドル装置の前記軸部の後端部と係合して該軸部の後端部を押し付ける電磁プランジャ装置で構成されることを特徴とするロール状トイレットペーパの紙引出し装置。
【請求項２】
前記回転体に設けられた被動側歯車と、前記回転体から径方向に離隔して該回転体と平行に軸支された回転操作軸と、前記回転操作軸に設けられ、かつ前記被動側歯車と噛合する駆動側歯車とを有し、前記回転操作ハンドルは前記棒部材の先端側で前記回転操作軸の片端部に取り付けられることを特徴とする請求項１に記載したロール状トイレットペーパの紙引出し装置。
【発明の詳細な説明】
【０００１】
【発明の属する技術の分野】
本発明はロール状トイレットペーパの紙引出し・切断装置に関する。より具体的には、本発明は、トイレットでの使用に際し、片手による簡単なハンドル操作でロール状トイレットペーパが巻き戻されて偏平状態に巻回され、かつ通常の１回の使用量に対応した量で切断されるようにしたロール状トイレットペーパの紙引出し・切断装置に関する。
【０００２】
【従来の技術】
ロール状に巻かれたトイレットペーパをトイレット内で使用する場合、通常壁面に回転可能に保持されたロール紙を手で引き出しつつ両手を使って適当な量に巻くようにして折りたたみ、手動で切断してから使用するのが普通である。引き出した紙の切断は、例えばロール紙の上周部を部分的に覆う湾曲カバー状の板の下縁にナイフエッヂのような切刃を形成したり、あるいはギザギザの縁部を形成し、一方の手でカバー板をロール紙に押し付けてロール紙の回転を止め、他方の手で紙を前記カバー板の下縁を利用して引きちぎる、といった操作で行っている。トイレットペーパによっては、長さ方向の適当な間隔でミシン目状の切り目を付けたものがあり、必要な分量だけ紙を引き出して折りたたんだ後、一方の手でロールを押さえつつ他方の手で紙を引張ることにより、切り目の部分で紙を切断している。
【０００３】
【発明が解決しようとする課題】
上述のようにトイレット内でのロール状トイレットペーパの扱いは、従来、紙の引き出しから折りたたみ、切断まですべて手動で行っており、必然的に両手を使わなければならず、非常に煩雑な動作を強いられる。特に手の部分に障害のある者、片側の手のみしか使えない人、高齢者あるいは神経系統の欠陥で手の動きがスムーズに出来ない人にとっては困難な動作となっている。
【０００４】
また、トイレット内のロール状トイレットペーパの位置が便器上の使用者の側方の壁面に軸支されているような場合、両手を使う動作は身体を側方へ曲げる姿勢となり、人によっては困難を伴うことがある。さらに、例えば幼児を抱いたままの状態でトイレットを使用するような場合、片腕で子供を抱いて他方の手でトイレットペーパを引き出して切断するという動作はかなりやっかいな動作であり、危険も伴う。
【０００５】
このような日常的な問題が多々あるにもかかわらず、従来、片手だけの操作で簡単に紙を引き出して折りたたみ、かつ紙の切断まで行えるような工夫は講じられていない。また必要な分量で自動的に紙の切断を行うような装置も開発されていない。特にトイレットペーパは軟質の紙であり、手で引きちぎることは出来てもカッタなどで簡易に切ることは難しいという問題があった。
【０００６】
本発明はこのような事情に鑑みてなされたものであって、ロール状のトイレットペーパの引き出し、折りたたみ、切断までの動作を片手のきわめて簡単な操作で行うことができ、したがって身体的な障害のある者、あるいは片方の手だけ自由になる状況の下で使用する者などにとっても困難なく使用できるロール状トイレットペーパの紙引出し・切断装置を提供することを目的とする。
【０００７】
本発明はさらに、ロール状のトイレットペーパの引き出し、折りたたみ、切断までを、片手による簡単なハンドル回転操作で行い得、したがって身体的な障害のある者、あるいは片方の手だけ自由になる状況下にある者にとっても困難なく使用できるロール状トイレットペーパの紙引出し・切断装置を提供することにある。
【０００８】
【課題を解決するための手段】
本発明の要旨は、一体となって水平軸線のまわりに回動する少なくとも２本の隔置された棒部材を備え、前記棒部材を一体として手動で回動させる手段と、前記棒部材が所定量回動した後、ロール紙の巻き戻し回転を固定する手段とを有し、前記ロール紙からの巻戻し紙が前記棒部材の間を通過して下方へ伸長した後、前記棒部材を回動させるようにしたものである。
【０００９】
特許請求の範囲に記載される本発明には含まれないが、本発明の理解を容易にするために、本発明をなすに至る過程を説明すれば、一対の隔置された棒部材を備え、かつ該棒部材と平行な軸のまわりに回転する回転体と、前記回転体の前記軸に連結される第１の回転駆動装置と、前記第１の回転駆動装置の上方に配置され、かつ出力軸にロール状トイレットペーパが装着される第２の回転駆動装置と、前記回転体の上方位置で前記ロール状トイレットペーパから引き出された垂下紙の降下を阻止する紙固定手段と、前記第１，第２の回転駆動装置の回転動作を制御する制御装置とを有し、前記制御装置は、前記第２の回転駆動装置の回転開始の後に遅れて前記第１の回転駆動装置が回転するように制御し、かつ、前記第２の回転駆動装置の回転開始による前記ロール状トイレットペーパからの垂下紙が前記一対の棒部材の間を通るように前記回転体の回転開始角度位置を制御するロール状トイレットペーパの紙引出し装置も案として検討された。
【００１０】
また、本発明に至る途中の過程では、３本の互いに隔置された棒部材を備え、かつ該棒部材と平行な軸のまわりに回転する回転体と、前記３本の棒部材は３角形の各頂点に存在するように配置されており、前記回転体の前記軸に連結される第１の回転駆動装置と、前記第１の回転駆動装置の上方に配置され、かつ出力軸にロール状トイレットペーパが装着される第２の回転駆動装置と、前記回転体の上方位置で前記ロール状トイレットペーパから引き出された垂下紙の降下を阻止する紙固定手段と、前記第１，第２の回転駆動装置の回転動作を制御する制御装置とを有し、前記制御装置は、前記第２の回転駆動装置の回転開始の後に遅れて前記第１の回転駆動装置が回転するように制御するロール状トイレットペーパの紙引出し装置も検討された。
【００１１】
上述の経過をたどり、最終的に本発明は以下の構成のものとされた。即ち、本発明によるロール状トイレットペーパの紙引出し装置は、一対の隔置された棒部材を備え、かつ該棒部材と平行な軸のまわりに回転する回転体と、前記回転体の前記軸に連結される回転操作ハンドルと、前記棒部材の上方に設けられるトイレットペーパのロール紙を挿抜可能に軸支するスピンドル装置とを有し、前記スピンドル装置の軸部は、該スピンドル装置を貫通してのび、その先端部が径方向に弾性変形可能な先細テーパ状を成し、かつ前記ロール紙の芯管の内径より小外径となっており、かつこの先端部に続いて周部に複数本の軸方向にのびる極細の突条が形成されたロール紙嵌合部を備え、これによって前記軸部が前記ロール紙の芯に食い込んで該軸部に対する前記ロール紙の相対回転を阻止するようになっており、さらに、前記ピンドル装置の前記軸部の回転を固定する固定装置と、前記回転体の回転数を計数する回転数検出手段と、前記回転体の回転数が所定値になったときに前記固定装置に固定指令信号を出力する計数処理装置と、前記固定装置の固定動作を解除し、かつ前記回転数検出手段をリセットするリセット手段とを有し、前記固定装置は、前記スピンドル装置の前記軸部の後端部と係合して該軸部の後端部を押し付ける電磁プランジャ装置で構成されることを特徴とするものである。
【００１２】
【発明の実施の形態】
次に、本発明を、好適な実施形態につき添付の図面にしたがって説明する。
図１は本発明の１実施形態に係るトイレットペーパの紙引出し・切断装置の概略的側面図である。なお、この実施形態はロール紙を巻戻し回転させるモータは存在せず、使用者のハンドル回転操作でロール紙から紙を引張り出す形態の手動型ロール状トイレットペーパの紙引出し・切断装置として構成した例である。
【００１３】
図１を参照すれば、スピンドル装置５５が適当な支持台９上に保持され、このスピンドル装置５５に回転自在に軸支された軸体５５ａが該スピンドル装置５５の両側に突出している。軸体５５ａの片端にはロール紙６０が挿抜可能に嵌合される。この場合、ロール紙６０が装着される側の軸体５５ａには、図２に示されるように、先端が先細テーパ状となったスリーブ５７が該軸体５５ａと一体回転するように装着されている。スリーブ５７の先端は径方向に若干弾性変形するように複数本の軸方向にのびるスリット５７ａが形成されている。図示のように先細テーパ状のスリーブ先端の外径はロール紙６０の紙製の芯管６１の内径より幾らか小径となっている。また、スリーブ５７は、図３（Ａ），（Ｂ）に示すように、このテーパ部分から後方の軸体外周に軸方向にのびる極細の、かつ高さの小さい鋭利な複数本の突条５９が形成されている。
【００１４】
ロール紙６０の中心孔に軸体５５ａを囲包したスリーブ５７が挿入されるようにロール紙６０をスリーブ５７の先端に押し込むと、前記突条５９がロール紙６０の紙製の芯管６１の内周に食い込み、これによってロール紙６０はスピンドル装置５５の軸体５５ａと一体で回転するようになり、ロール紙６０がスリーブ５７上をすべり回転するのが阻止される。なお、軸体５５ａとスリーブ５７はキーなどを介して相互回転不能に連結されている。
【００１５】
再び図１を参照すれば、軸体５５ａの他方の軸端、即ちスピンドル装置５５からロール紙６０と反対側へ突出する軸体５５ａの端面に対峙して電磁プランジャ装置１０が配置されている。電磁プランジャ装置１０は、軸方向に出入可能かつ回転不能のプランジャ１１を備えており、このプランジャ装置１０の付勢により該プランジャ装置１０からプランジャ１１が軸体５５ａに向って突出して該軸体５５ａを軸方向に押し付け、これによって軸体５５ａの回転が阻止されるようになっている。この電磁プランジャ装置１０の付勢、消勢動作については、さらに後述する。
【００１６】
図１の実施形態では電磁プランジャ装置１０のプランジャ１１の軸線とスピンドル装置５５の軸体５５ａの軸線が一致しており、プランジャ１１の先端が軸体５５ａの端部中心を押し付ける形態となっているが、本発明からは外れるが、参考例として、図４に示すように、軸体５５ａの端部に円板１２が固着され、この円板１２に、中心から径方向に離れた位置にストッパ孔１３が形成され、電磁プランジャ装置１０が付勢されたとき、プランジャ１１が突出して円板１２の端面に接触摺動し、前記円板１２が回転してそのストッパ孔１３とプランジャ１１が一致したとき該プランジャ１１がストッパ孔１３に挿入され、これによって前記円板１２、したがってスピンドル装置５５の軸体５５ａの回転が拘束されるようにする構成も考えられる。
【００１７】
ロール紙６０の下方に一対の隔置された水平な棒部材１５，１６が配置されている。各棒部材１５，１６の片端部は円板（回転体）１７の片端面に固着され、また該円板１７の他端面の中心には短軸１８が固着されている。なお、この実施例で一対の棒部材１５，１６の軸間の中心線は前記短軸１８の軸線と一致している。しかし本発明においては必ずしも回転中心となる短軸１８の位置が円板１７の中心、即ち棒部材１５，１６の軸間中心と一致する必要はなく、短軸１８が一方の棒部材１５または１６の軸線上にあってもよく、また任意の棒部材の間の位置、あるいは棒部材の若干外側に外れた位置上に存在してもよい。
【００１８】
短軸１８は本装置の筐体１９に回転可能に軸支されるとともに、該筐体１９から外部へ突出し、その軸端に該軸の軸線に対して直角にのびるハンドル２０が連結されている。ハンドル先端には操作つまみ２１が回転自在に連結され、したがってこの操作つまみ２１を片手で掴んで前記短軸１８の軸線まわりに回転させることにより、一対の棒部材１５，１６は前記円板１７とともに棒部材軸間の前記中心線のまわりに回動する。なお、短軸１８が一方の棒部材１５の軸線上に存在するときは、短軸１８の回転によって他方の棒部材１６は前記一方の棒部材１５のまわりに回転する。
【００１９】
前記円板１７と共働して、この円板１７の回転数を検出する計数器２２が設けられている。この計数器２２は検出した円板１７の回転数を電気信号、例えばデジタル信号に変換して出力するように構成されており、この出力信号は計数処理装置２３に入力される。計数処理装置２３は計数器２２から出力された信号を処理し、円板１７の回転数が所定の値になったときに前記電磁プランジャ装置１０を付勢する信号を出力する。この出力信号により、前記電磁プランジャ装置１０のプランジャ１１がロール紙６０を嵌挿したスピンドル装置５５の軸体５５ａに向けて突出し、前記軸体５５ａを片端から押し付けて前記ロール紙６０の回転を固定する。
【００２０】
計数処理装置２３あるいは電磁プランジャ装置１０の近傍にはリセット装置２５が設けられており、そのリセットボタンを押すことにより、計数器２２の計数が０、即ち計数器２２および計数処理装置２３がリセットされ、かつ電磁プランジャ装置１０が消勢されてプランジャ１１が後退し、前記スピンドル装置５５の軸体５５ａの押し付けが解除されて前記ロール紙６０は元の回転自在の状態となる。
【００２１】
上述の実施形態のもとで、ロール状トイレットペーパの引出し動作および引き出した紙の切断動作を説明する。まず、使用者は紙の引出し操作に先立ってリセット装置２５のリセットボタンを押し、本設備を使用開始前の状態にする。なお、前の使用者が使用終了後にリセットボタンを押してトイレットを出た場合には、この操作は不要である。次に、使用者はロール紙６０の紙の一端６０ａを手で引き出して一対の棒部材５，１６の間を通過させ、そのまま下方へ或る程度の距離だけ紙を引き出す。図１はロール紙６０の紙を手操作で引き出した状態を示している。このときの引き出す紙の長さは、前記棒部材１５，１６の位置から紙の先端（下端）までの長さＬが一対の棒部材１５，１６の間隔ｄ（隔置された棒部材の軸間距離）の少なくとも２倍あるいは概略２．５〜３倍程度になるようにする。この操作は勿論片手の操作で可能である。
【００２２】
次に、前記円板１７のハンドル２０の操作つまみ２１を掴んで一方向へ或る回数回転させる。このときの回転操作は後述の如く紙が切れるまで続け、紙が切れたときに前記ハンドル２０の回転操作を止める。前述のように最初に引き出した紙の下端は棒部材１５，１６の位置より下方へ長くのびているので、一対の棒部材１５，１６の回動によって、該棒部材１５，１６の間を通る紙６０ａが一対の棒部材１５，１６を巻き囲むような形態で一対の棒部材１５，１６の外側に巻き付けられるとともに、該棒部材１５，１６の回動に伴なう紙の引張りによるロール状トイレットペーパの巻戻し回転で紙６０ａが引き出されて棒部材１５，１６の周りに偏平状態に巻かれる。
【００２３】
一対の棒部材１５，１６の回動により該棒部材１５，１６の外側に巻かれる紙の巻き量は棒部材１５，１６を保持した円板１７の回転数に依存する。前述の如く円板１７の回転数は計数器２２で計数されており、この回転数が所定値になったとき、前記計数処理装置２３の出力信号で前記電磁プランジャ装置１０が付勢され、ロール状トイレットペーパ（ロール紙６０）の回転が拘束され、この状態でさらに円板１７のハンドル２０の回転操作を続けると、前記ロール状トイレットペーパから前記棒部材１５，１６までの間の箇所で紙が引きちぎられる。この後は一対の棒部材１５，１６に巻かれた紙を該棒部材１５，１６の先方へ手動で抜き出す。そして次回の使用者のためにリセットボタンを押し、ロール状トイレットペーパを回転自在の状態にしておく。
【００２４】
上述の実施形態は一対の棒部材の回転を手動で行う形態の例であるが、この棒部材の回転を適当な駆動手段で自動化することも考え方としては可能である。図５はこの場合の参考例を示した側面図である。装置の機枠側部に棒部材回転モータ２６が支持され、一対の棒部材１５，１６を連結する円板１７の短軸１８と前記モータ２６の出力軸２６ａとが継手を介して連結されている。この棒部材回転モータ２６には回転の停止位置を制御する制御装置２７が付加されており、該モータ２６の電源断の状態で一対の棒部材１５，１６が概ね横方向に並ぶようにその出力軸２６ａの停止時の回転角度位置が制御される。ここで「概ね横方向に並ぶ」とは、両方の棒部材１５，１６の軸線を含む共通平面が水平となるような状態（水平共通平面）、あるいはこの共通平面が斜め方向に向き、上方から降下してくる紙が自然に両棒部材１５，１６の間を通過することとなる姿勢状態を指している。前記共通平面が例えば鉛直となるような場合は、上から垂下する紙が停止状態の両棒部材１５，１６の間を通らず、したがってこのような状態では、概ね横方向に並ぶとはいえない。
【００２５】
この参考例では、トイレットペーパのロール紙６０を支持するスピンドル装置に代えてロール紙回転モータ３０が設けられている。ロール紙回転モータ３０の出力軸３０ａは図２で説明したようなスリーブ５７に挿入され、キー等を介して該スリーブ５７と一体回転するようになっている。つまり前記ロール紙回転モータ３０の出力軸３０ａは手動型のスピンドル装置のスピンドル軸、即ち軸体１１（図１）に対応している。なお、この電動型参考例ではブレーキ機構付きのロール紙回転モータ３０が用いられる。この場合のブレーキ機構は本発明の電磁プランジャ装置におけるロール紙の巻き戻し回転を固定する手段に相当する。
【００２６】
前記制御装置２７は本設備の電源投入によって前記棒部材回転モータ２６と前記ロール紙回転モータ３０の回転開始および回転停止のタイミングを制御する機能を有している。具体的には電源投入により、前記棒部材回転モータ２６の回転に先立って前記ロール紙回転モータ３０が回転を開始する。これによってロール紙６０は巻き戻され、該ロール紙６０から帯状の紙６０ｂが垂下して一対の棒部材１５，１６の間を通り、下方へ垂れ下がる。紙の下端部６０ａが前記一対の棒部材１５，１６の位置から或る程度下方へ下がったとき、例えば両棒部材１５，１６の軸間距離の２〜３倍程度の長さだけ該棒部材１５，１６の位置から垂れ下がった時点で棒部材１５，１６を回転させるモータ２６が作動して棒部材１５，１６の回動動作が開始される。
【００２７】
一対の棒部材１５，１６の間に挟まれた引出し紙６０ｂは、前述の手動型の場合で説明したように、該棒部材１５，１６の回動によってその外側に巻き付けられる。巻き付けの量が所定量（前記円板即ち棒部材の回転数に依存する）になったときに、前記棒部材回転モータ２６に先立って前記ロール紙回転モータ３０が停止するとともに該ロール紙回転モータ３０のブレーキ機構が働いて該モータ３０の回転が阻止され、さらに前記棒部材回転モータ２６がそのまま回転を続けることにより、ロール紙６０から引き出された紙が棒部材１５，１６による巻込み動作で引張られて該ロール紙６０と棒部材１５，１６との間の箇所で切断される。切断後は前記棒部材回転モータ２６は消勢されて回転が停止される。この状態で棒部材１５，１６の外側に巻き付けられた紙を手動で該棒部材の先端から抜き取る。
【００２８】
この参考例では紙の巻取り動作中、棒部材回転モータ２６の回転とロール紙回転モータ３０の回転が共に行われている例であり、したがって両回転モータ２６，３０の回転速度が略同じか、あるいは少なくともロール紙回転モータ３０の方が若干速い回転速度となるように設定される。これによって棒部材１５，１６の紙巻付け動作の途中で紙の緊張が生じて想定外の少ない巻付け量で紙が切断されるという不具合はなくなる。ただしロール紙回転モータ３０の回転速度が棒部材回転モータ２６のそれよりも大幅に大の場合には、ロール紙６０と棒部材１５，１６との間で紙６０ｂが大きく撓むことになり、棒部材１５，１６の上方位置で紙のジャムが生じる等、不具合の原因となるので、紙の予定巻付け量を考慮して両モータ２６，３０の適切な回転速度を定める必要がある。またこの参考例では棒部材回転モータ２６とロール紙回転モータ３０の２個のモータを設けたが、他の参考例ではモータは棒部材回転モータのみとし、ロール紙からの紙の引き出しを棒部材回転モータで行うようにしてもよい。その場合は、ロール紙は手動の場合のようにスピンドル装置で軸支しかつその回転固定は電磁プランジャ装置で行うことができる。なお、使用開始時にはロール紙からの紙端部を手で掴んで棒部材の間を通して下方へ引き出しておく。
【００２９】
図１に示したハンドルによる手動操作の棒部材回転形態の例では、棒部材１５，１６への巻き付け完了後に前記ハンドル２０と反対側の棒部材先端１５ａ，１６ａから巻付き紙を手で抜き取る構造であり、ハンドル２０を操作した手で紙を抜き取ろうとすると、本設備の設置位置によっては、ハンドル２０を操作した手を該ハンドル２０と反対側へ移動させて棒部材１５，１６の軸方向へ紙を抜き取ることとなり、煩雑となることがある。図６の実施例はそのような場合を考慮して手動操作の構造のハンドルと同じ側から紙を抜き取ることができるようにした例である。
【００３０】
この実施例では、一対の棒部材の伸長方向先方（先端部）の下側、あるいは側方にハンドルが配置されている。図示の例ではハンドル２０の付いた回転軸３１が棒部材１５，１６の下方に水平に配置され、該軸３１の両端が装置筐体１９に回転可能に軸支されている。そして回転軸３１の一端部に前記ハンドル２０が、他端部に駆動側歯車３２が固着されている。一対の棒部材１５，１６の基部を固着した円板１７は前記駆動側歯車３２に隣接しており、該円板１７には該円板と同心に被動側歯車３３が設けられている。前記棒部材１５，１６の伸長する側と反対側で、前記被動側歯車３３の外端面の中心に固着された短軸１８が装置筐体１９に回転自在に軸支されている。前記駆動側歯車３２は前記被動側歯車３３と噛み合っており、したがってハンドル２０の手動回転操作により一対の棒部材１５，１６は前記短軸１８の軸線まわりに、つまり該棒部材１５，１６の軸間中心線のまわりに回動する。
【００３１】
この実施例においても、トイレットペーパのロール紙は、既に述べたハンドルと棒部材先端が同じ側にある手動操作型の実施例と同様にスピンドル装置（図６では図示省略）が適当な支持台上に保持され、このスピンドル装置に回転自在に軸支された軸体の片端にロール紙が挿抜可能に嵌合され、また軸体の他方の軸端、即ちスピンドル装置からロール紙と反対側へ突出する軸体の端面に対峙して電磁プランジャ装置が配置されている。電磁プランジャ装置は、軸方向に出入可能かつ回転不能のプランジャを備えており、このプランジャ装置の付勢により該プランジャ装置からプランジャが軸体に向って突出して該軸体を軸方向に押し付け、これによって軸体の回転が阻止されるようになっている。円板と共働して、この円板の回転数を検出する計数器および、この計数器から出力された信号を処理し、円板の回転数が所定の値になったときに前記電磁プランジャ装置を付勢する信号を出力する計数処理装置が設けられ、この計数処理装置の出力信号により、前記電磁プランジャ装置のプランジャがロール紙を嵌挿した軸体に向けて突出し、前記軸体を片端から押し付けて前記ロール紙の回転を固定する。計数器および計数処理装置をリセットするリセット装置が設けられることも同様である。
【００３２】
この図６の実施例では、前記スピンドル装置に支持されたトイレットペーパのロール紙から紙の先端を手動で引き出して下方へ垂下させ、一対の棒部材１５，１６の間を通して該棒部材の軸間距離の概ね２〜３倍程度の長さで該棒部材１５，１６の位置から下方へ伸長させた後、ハンドル２０を手動で回転させる。これによって一対の棒部材１５，１６はハンドル２０の回転軸３１および駆動側、被動側の歯車３２，３３を介して該棒部材１５，１６の軸間中心線のまわりに回動し、その結果これらの棒部材１５，１６の間に挟まれた紙６０ｂは該棒部材１５，１６の外側に巻き付けられる。所定量の巻き付けの後、前記電磁プランジャ装置（図示省略）の動作でロール紙の回転が阻止され、前記棒部材１５，１６の回動により該棒部材とロール紙との間で紙が引張り切断される。切断後は、ハンドル２０を操作した手で前記棒部材１５，１６の先端から巻き付けられた紙を抜き取る。前記棒部材１５，１６の先端はハンドル２０と同じ側に向いているため、紙の抜き取りはきわめて容易である。
【００３３】
図５の電動型の場合、使用開始時にロール紙が自動で巻き戻されて垂下した紙が一対の棒部材の間を通過するように該棒部材の当初の並び位置を制御する必要がある。図７および図８（Ａ），（Ｂ）の参考例はこの制御機構の付加を除くためになされた他の例である。円板１７の片端面に３本の棒部材１４，１５，１６が取り付けられており、この場合の各棒部材１４，１５，１６の相互の配置関係は、３本の棒部材１４，１５，１６が同一平面上にないように、即ち該棒部材の軸方向からみて三角形の各頂点にそれぞれ棒部材１４，１５，１６が存在するように配置される。これによって円板１７の回転停止位置がどの位置で停止しても、ロール紙からの垂下紙６０ｂは必ずいずれか２本の棒部材の間を通ることになる。つまり前記円板１７に保持された３本の棒部材１４，１５，１６の静止位置がどのような位置であっても、その中のいずれか２本の棒部材は「概ね横方向に並ぶ」こととなる。図８（Ａ）の停止姿勢では棒部材１４と１６との間および棒部材１４と１５との間を紙６０ｂが通り、図８（Ｂ）では棒部材１４と１６の間を紙６０ｂが通過する。ロール紙からの垂下紙６０ｂが棒部材１４と１６または１５と１６の間を通って下方へ伸長した後、３本の棒部材の一体回動によって紙６０ｂはこれら３本の棒部材１４，１５，１６の外側を巻き囲むように巻き付けられる。
【００３４】
【発明の効果】
以上説明したように本発明によれば、一体となって水平軸線のまわりに回動する少なくとも２本の隔置された棒部材を備え、前記棒部材を一体として手動で回動させる手段と、前記棒部材が所定量回動した後、ロール紙の巻き戻し回転を固定する手段とを有し、前記ロール紙からの巻戻し紙が前記棒部材の間を通過して下方へ伸長した後、前記棒部材を回動させるようにしたので、ロール状のトイレットペーパの引き出し、折りたたみ、切断までの動作を片手のきわめて簡単な操作で行うことができ、したがって身体的な障害のある者、あるいは片方の手だけ自由になる状況の下で使用する者などにとっても困難なく使用できる。
【００３５】
従来のように使用者の両手を使った折りたたみ動作が不要となり、取り出したそのままの状態で直ちに使用でき、また折りたたみの分量が一定となり、無駄な紙の引き出しが避けられるため、省資源化に寄与できる。またロール状のトイレットペーパの引き出し、折りたたみ、切断までを、片手によるハンドル回転操作のみで行うことができ、したがって身体的な障害のある者、あるいは片方の手だけ自由になる状況下にある者にとっても困難なく使用できるなど多くの効果がもたらされる。
【図面の簡単な説明】
【図１】  本発明の１実施形態に係るトイレットペーパの紙引出し・切断装置の概略的側面図である。
【図２】  本発明の１実施例に係るスピンドル装置にトイレットペーパ用ロール紙を装着した状態を示す部分的な縦断面図である。
【図３】  本発明の実施例によるスピンドル装置に用いられるスリーブの端面図および側面図である。
【図４】  ロール紙の回転を阻止する固定手段の他の構成を参考例として示した図である。
【図５】  紙の引き出しを自動化した電動型トイレットペーパの紙引出し・切断装置を参考例として示した概略的側面図である。
【図６】  手動型トイレットペーパの紙引出し・切断装置の他の実施形態を示す部分的な概略図である。
【図７】  ３本の棒部材を有する参考例の概略的な側面図である。
【図８】  図７の参考例でロール紙からの垂下紙が棒部材の間を通る状態を示した回転体の正面図である。
【符号の説明】
１０  電磁プランジャ装置
１１  プランジャ
１４，１５，１６  棒部材材
１７  円板
１８  短軸
２０  ハンドル
２２  計数器
２３  計数処理装置
２５  リセット装置
２６  棒部材回転モータ
２７  制御装置
３０  ロール紙回転モータ
５５  スピンドル装置
６０  トイレットペーパ用ロール紙
【図１】
0003649332.tif 000002
【図２】
0003649332.tif 000003
【図３】
0003649332.tif 000004
【図４】
0003649332.tif 000005
【図５】
0003649332.tif 000006
【図６】
0003649332.tif 000007
【図７】
0003649332.tif 000008
【図８】
0003649332.tif 000009